(57)【特許請求の範囲】
【請求項１】
構造物を解体するための仮設屋根を支持する仮設柱の設置方法であって、
当該仮設柱は、柱本体と、第１かんぬき部材と、当該第１かんぬき部材を前記柱本体に沿って昇降させるジャッキと、前記柱本体の下端側に開閉可能に設けられた第２かんぬき部材と、を備え、
前記柱本体を、長さ方向に沿って複数の部材に分割しておき、
当該分割された部材のうち最上段の部材を、前記仮設屋根に取り付ける工程と、
前記分割された部材のうち最下段の部材を所定位置に配置し、当該最下段の部材に前記第２かんぬき部材を取り付けて、前記構造物から当該第２かんぬき部材を介して前記最下段の部材を支持する工程と、
前記最下段の部材の上に前記分割された部材のうちの最上段の部材および最下段の部材を除いた残りの部材を取り付けて組み立てるとともに、当該組み立てた部材に、前記第１かんぬき部材および前記ジャッキを取り付ける工程と、
前記ジャッキを駆動して、前記組み立てた部材を上昇させて、前記最上段の部材に接合する工程と、
を備えることを特徴とする仮設柱の設置方法。
【発明の詳細な説明】
【技術分野】
【０００１】
本発明は、構造物を解体するための仮設屋根を支持する仮設柱を設置する方法に関する。
【背景技術】
【０００２】
従来より、高層建築では、設備や躯体の老朽化を理由として、既存の建築物を解体し、新たに建築物を構築する建て替えが行われる場合がある。
ここで、既存の建築物を解体する方法として、例えば、既存建物の屋上階を仮設屋根とし、この仮設屋根を支持する仮設柱を既存建物内に建て込んで、この仮設柱をジャッキダウンさせて仮設屋根を下降させながら、既存建物を解体する解体方法が提案されている（特許文献１参照）。
この提案によれば、仮設屋根に覆われた空間を解体作業スペースとし、この解体作業スペースで解体作業を行うことにより、粉塵や騒音を防止しつつ、上層から下層に向かって徐々に建築物を解体する。
【先行技術文献】
【特許文献】
【０００３】
【特許文献１】特開２０１２−１２２２００号公報
【発明の概要】
【発明が解決しようとする課題】
【０００４】
ところで、上述の解体方法では、既存建物内の屋上階に仮設柱を設置するが、仮設柱は、少なくとも２層以上に跨る長さを有し、重量も１本あたり数十トン以上となる場合が多い。このため、高さの高い解体前の既存建物内に、仮設柱を外部から搬入するのは困難である。そこで、仮設柱を分割して搬入することが考えられるが、このようにしても、仮設柱を組み立てるスペースが少ないうえに、組み立てた部材の荷重が大きくなるので、仮設柱の仮支持や移動は、数トン吊りの解体用クレーンでは対応できず、この仮設柱をどのようにして既存建物内に設置するかが問題であった。
【０００５】
本発明は、仮設屋根を支持する仮設柱を、所定の設置箇所に確実に設置できる仮設柱の設置方法を提供することを目的とする。
【課題を解決するための手段】
【０００６】
請求項１に記載の仮設柱の設置方法は、構造物（例えば、後述の既存建物１）を解体するための仮設屋根（例えば、後述の仮設屋根６１）を支持する仮設柱（例えば、後述の仮設柱１５）の設置方法であって、当該仮設柱は、柱本体（例えば、後述の柱本体２０）と、第１かんぬき部材（例えば、後述の第１かんぬき部材２６）と、当該第１かんぬき部材を前記柱本体に沿って昇降させるジャッキ（例えば、後述のステップロッドジャッキ２５）と、前記柱本体の下端側に開閉可能に設けられた第２かんぬき部材（例えば、後述の第２かんぬき部材３０）と、を備え、前記柱本体を、長さ方向に沿って複数の部材（例えば、後述の下部２０Ａ、下側中間部２０Ｂ、上側中間部２０Ｃ、上部２０Ｄ、最上部２０Ｅ）に分割しておき、当該分割された部材のうち最上段の部材（例えば、後述の最上部２０Ｅ）を、前記仮設屋根に取り付ける工程（例えば、後述のステップＳ１）と、前記分割された部材のうち最下段の部材（例えば、後述の下部２０Ａ）を所定位置に配置し、当該最下段の部材に前記第２かんぬき部材を取り付けて、前記構造物から当該第２かんぬき部材を介して前記最下段の部材を支持する工程（例えば、後述のステップＳ２）と、前記最下段の部材の上に前記分割された部材のうちの最上段の部材および最下段の部材を除いた残りの部材（例えば、後述の下側中間部２０Ｂ、上側中間部２０Ｃ、上部２０Ｄ）を取り付けて組み立てるとともに、当該組み立てた部材に、前記第１かんぬき部材および前記ジャッキを取り付ける工程（例えば、後述のステップＳ３〜Ｓ６）と、前記ジャッキを駆動して、前記組み立てた部材を上昇させて、前記最上段の部材に接合する工程（例えば、後述のステップＳ７）と、を備えることを特徴とする。
【発明の効果】
【０００７】
本発明によれば、仮設柱の柱本体を複数に分割しておき、仮設柱の設置箇所で、これら分割した部材を組み立てたので、仮設柱を所定の設置箇所に確実に設置できる。また、仮設柱を複数に分割したことにより、この仮設柱を組立てるための資材の搬出入が容易となるから、仮設柱を容易かつ低コストで設置できる。
【図面の簡単な説明】
【０００８】
【図１】本発明の一実施形態に係る仮設柱の設置方法が適用された既存建物の断面図である。
【図２】前記実施形態に係る仮設柱の正面図および側面図である。
【図３】図２のＡ−Ａ断面図である。
【図４】図２のＢ−Ｂ断面図である。
【図５】図４のＣ−Ｃ断面図である。
【図６】図２のＤ−Ｄ断面図である。
【図７】図２のＥ−Ｅ断面図である。
【図８】図２のＦ−Ｆ断面図である。
【図９】前記実施形態に係る既存建物を解体する手順の説明図（その１）である。
【図１０】前記実施形態に係る既存建物を解体する手順の説明図（その２）である。
【図１１】前記実施形態に係る既存建物を解体する手順の説明図（その３）である。
【図１２】前記実施形態に係る仮設柱を設置する手順のフローチャートである。
【図１３】前記実施形態に係る仮設柱を設置する手順の説明図（その１）である。
【図１４】前記実施形態に係る仮設柱を設置する手順の説明図（その２）である。
【図１５】前記実施形態に係る仮設柱を設置する手順の説明図（その３）である。
【図１６】前記実施形態に係る仮設柱を設置する手順の説明図（その４）である。
【図１７】前記実施形態に係る仮設柱を設置する手順の説明図（その５）である。
【図１８】前記実施形態に係る仮設柱を設置する手順の説明図（その６）である。
【図１９】前記実施形態に係る仮設柱を設置する手順の説明図（その７）である。
【発明を実施するための形態】
【０００９】
以下、本発明の一実施形態について、図面を参照しながら説明する。
図１は、本発明の一実施形態に係る仮設柱の設置方法が適用された構造物としての既存建物１の断面図である。
既存建物１は、ここでは、２４階建ての鉄骨造であり、複数本の角形鋼管である既存柱１１と、これら既存柱１１同士を連結する複数の鉄骨梁である既存梁１２と、既存梁１２に支持される既存スラブ１３と、を備える。
【００１０】
この既存建物１には、既存建物１を解体するために、解体作業スペース６０が構築されている。解体作業スペース６０は、仮設屋根６１と、この仮設屋根６１の外周に設けられた外周足場６２と、で囲まれた空間である。
【００１１】
仮設屋根６１は、２４階床レベルの外周側の既存梁１２と、２４階の外周側の既存柱１１と、Ｒ階床レベルの一部の既存梁１２である仮設梁６３と、この仮設梁６３の上に張り付けられた透光性を有する板材６４と、仮設梁６３の梁下に設置された２段式のガーター６５と、このガーター６５に沿って走行する走行クレーン６６と、を備える。
外周足場６２は、仮設梁６３に支持されている。
【００１２】
既存建物１の既存柱１１の近傍には、既存建物１の構造体に支持されて略鉛直方向に延びて、仮設屋根６１を支持する仮設柱１５が設置される。
【００１３】
仮設柱１５は、既存建物１の既存スラブ１３を貫通して延びている。すなわち、既存柱１１の近傍の各階の既存スラブ１３には、床開口１４が形成されており、仮設柱１５は、各階の床開口１４に挿通される。
【００１４】
図２は、仮設柱１５の正面図および側面図である。なお、図２では、理解の容易のため、後述の水平支持レール２３Ｂを省略している。
仮設柱１５は、所定長さの柱本体２０と、柱本体２０の長さ方向に沿って延びるステップロッド２４と、このステップロッド２４を中心に挿通可能なセンターホール型のステップロッドジャッキ２５と、このステップロッドジャッキ２５の下端に取り付けられた第１かんぬき部材２６と、柱本体２０の下端側に取り付けられた一対の直線状のかんざし部材２７（図４参照）と、このかんざし部材２７に連結されて開閉可能な第２かんぬき部材３０と、を備える。
【００１５】
センターホール型のステップロッドジャッキ２５は、ステップロッド２４の外周ステップ部を噛み込んだり開放させたりしながらピストンを伸縮することにより、１００トン以上の重量物を昇降させる能力を有している。ステップロッド２４の上下両端部を柱本体２０に固定した状態では、ステップロッドジャッキ２５がステップロッド２４を手繰ったり送り出したりすると、ステップロッドジャッキ２５がステップロッド２４に沿って昇降し、第１かんぬき部材２６も柱本体２０に沿って昇降する。
【００１６】
柱本体２０は、長さ方向に沿って五分割されている。すなわち、柱本体２０は、下から順に、下部２０Ａ、下側中間部２０Ｂ、上側中間部２０Ｃ、上部２０Ｄ、最上部２０Ｅの５つの部材を順に連結したものである。
【００１７】
柱本体２０は、鉛直方向に略平行に延びる一対の柱部材２１（図３参照）と、これら２本の柱部材２１を連結する連結部材２２と、柱部材２１に沿って延びる水平支持レール２３Ａ、２３Ｂと、を備える。
【００１８】
柱部材２１のうち下部２０Ａを構成する部分は、断面略Ｈ形状の下部柱部材２１１であり、下側中間部２０Ｂおよび上側中間部２０Ｃを構成する部分は、断面略箱形状の中間部柱部材２１２である。また、上部２０Ｄおよび最上部２０Ｅを構成する部分は、断面略Ｈ形状の上部柱部材２１３である。
【００１９】
図３は、図２のＡ−Ａ断面図である。図４は、図２のＢ−Ｂ断面図である。図５は、図４のＣ−Ｃ断面図である。
水平支持レール２３Ａ、２３Ｂは、下部柱部材２１１に設けられている。
具体的には、水平支持レール２３Ａは、断面略Ｈ形状である下部柱部材２１１のウエブに略平行に延びる当接面を有している。一方、水平支持レール２３Ｂは、断面略Ｈ形状である下部柱部材２１１のフランジに略平行に延びる当接面を有している。
【００２０】
また、下部柱部材２１１には、互いに対向する一対の貫通孔２１４が長さ方向に沿って２組形成されている。この貫通孔２１４の周囲は、補強プレート２１５で補強されている。
【００２１】
第２かんぬき部材３０は、一対の柱部材２１の間に挿通され、この第２かんぬき部材３０の軸方向の長さが変更可能な構造である。すなわち、第２かんぬき部材３０は、所定長さの本体３１と、この本体３１の両端側に水平方向に回動自在に設けられた係止部３２と、を備える。
【００２２】
この第２かんぬき部材３０では、係止部３２および本体３１を一直線上に配置することで、第２かんぬき部材３０が開いた状態となり、第２かんぬき部材３０の軸方向の長さを長くできる。一方、係止部３２を水平方向に折り曲げることで、第２かんぬき部材３０が閉じた状態となり、第２かんぬき部材３０の軸方向の長さを短くできる。
第２かんぬき部材３０を閉じた状態では、第２かんぬき部材３０の軸方向の長さが床開口１４の内法寸法よりも短くなるため、第２かんぬき部材３０は、床開口１４を通って鉛直方向に移動可能となっている。
【００２３】
一対のかんざし部材２７は、柱部材２１の上下の２組の貫通孔２１４のうちの上側の一組に挿通されている。
上述の第２かんぬき部材３０の上面は、かんざし部材２７の下面に当接して固定されている。これにより、第２かんぬき部材３０は、柱本体２０とともに略鉛直方向に移動するようになっている。
【００２４】
第２かんぬき部材３０を所定高さに配置して、第２かんぬき部材３０の軸方向の長さを長くすることで、第２かんぬき部材３０は、既存柱１１から互いに直交して延びる２つの既存梁１２に跨って配置される。このとき、これら２本の既存梁１２の上面が露出しているため、第２かんぬき部材３０は、既存梁１２に直接載置される。
【００２５】
この状態では、第２かんぬき部材３０が既存梁１２に係止し、この第２かんぬき部材３０にかんざし部材２７が係止するので、仮設柱１５は第２かんぬき部材３０を介して既存梁１２に支持されることになる。
【００２６】
また、床開口１４のうち仮設柱１５が挿通されるものには、既存建物１に支持されて柱本体２０の側面に当接する一対の水平反力受け部材５１、５２が設けられる。
すなわち、水平反力受け部材５１、５２は、既存梁１２上に取り付けられて柱本体２０の側面に当接する略コの字形状の第１水平反力受け部材５１と、既存スラブ１３上に取り付けられて柱本体２０の側面に当接する略コの字形状の第２水平反力受け部材５２と、からなる。
【００２７】
各水平反力受け部材５１、５２は、水平支持レール２３Ａの当接面に当接する長尺状の第１ガイド部５３と、この第１ガイド部５３の両端から直交して延びて水平支持レール２３Ｂの当接面に当接する第２ガイド部５４と、を備える。これにより、柱本体２０を下方に向かって円滑に移動可能となっている。
水平反力受け部材５１、５２は、柱本体２０を挟んで略矩形枠状に配置されており、これにより、第２かんぬき部材３０の上下方向の移動に干渉しないようになっている。
【００２８】
図６は、図２のＤ−Ｄ断面図である。
ステップロッドジャッキ２５の下端面には、水平に直線状に延びる第１かんぬき部材２６が連結され、この第１かんぬき部材２６の両端側は、２つの既存梁１２の直上に位置している。第１かんぬき材の中央には、ステップロッド２４が挿通される挿通孔が形成されている。
【００２９】
第１かんぬき部材２６を所定高さに配置することで、第１かんぬき部材２６は既存柱１１から互いに直交して延びる２つの既存梁１２に跨って配置される。このとき、これら２本の既存梁１２の上面が露出しているため、第１かんぬき部材２６は、既存梁１２に直接載置される。
この状態では、第１かんぬき部材２６が既存梁１２に係止するので、柱本体２０は第１かんぬき部材２６を介して既存梁１２に支持されることになる。
【００３０】
図７は、図２のＥ−Ｅ断面図である。
柱本体２０の上部柱部材２１３の側面には、継手２９が設けられている。柱本体２０の上部柱部材２１３の側面は、この継手２９を介して、仮設屋根６１の一部である２４階の既存柱１１の上側の側面に連結されている。
【００３１】
図８は、図２のＦ−Ｆ断面図である。
柱本体２０は、既存柱１１の上端から互いに直交して延びる２つの仮設梁６３の間に設置されている。
柱本体２０の上端面には、水平に直線状に延びる支持部材２８が設けられ、２つの仮設梁６３は、この支持部材２８の両端側の上面に位置している。これにより、柱本体２０の上端面は、支持部材２８を介して、仮設屋根６１の仮設梁６３に連結されている。
【００３２】
次に、既存建物１を解体する手順について説明する。
まず、図１に示すように、屋上階としてのＲ階の設備機器、目隠し壁、およびフレーム等を解体する。また、Ｒ階床レベルの既存梁１２の一部を残して解体して、残った既存梁１２を仮設梁６３とする。さらに、２４階床レベルの外周の既存梁１２を残して、２４階の外壁を含む立上りおよび２４階床レベルの内側の既存梁１２を解体する。
また、仮設柱１５の外側に仮設梁６３に支持される外周足場６２を設ける。
【００３３】
次に、仮設梁６３の梁下にガーター６５および走行クレーン６６を取り付ける。この走行クレーン６６が軽量である場合には、Ｒ階床レベルの仮設梁６３を補強する必要はない。また、仮設梁６３に透光性を有する板材６４を貼り付けて、仮設屋根６１を完成させることで、仮設屋根６１および外周足場６２で囲まれた解体作業スペース６０を形成する。
なお、図示しないが、仮設屋根６１には、雨水を利用した散水設備およびドライミスト装置を設ける。
【００３４】
各階の既存スラブ１３に床開口１４を形成し、２１〜２３階床レベルの床開口１４に水平反力受け部材５１、５２を設置する。
その後、既存建物１の最上階外周の既存柱１１の近傍に仮設柱１５を配置する。
【００３５】
ステップロッドジャッキ２５駆動して、２３階床レベルの既存梁１２に第１かんぬき部材２６を係止させ、仮設柱１５を２３階床の既存梁１２に支持させる。また、第２かんぬき部材３０を収縮させておく。
その後、２３階の既存柱１１を柱頭部で切断し、２３階の外壁を含む立上がりを解体する。
【００３６】
次に、図９に示すように、ステップロッドジャッキ２５を駆動して、ステップロッド２４の上方に向かって移動させる。
これにより、仮設柱１５が下降し、仮設屋根６１および外周足場６２も下降し、第２かんぬき部材３０は２１階床レベルの高さに位置する。このとき、水平反力受け部材５１、５２により、仮設柱１５の移動を案内する。
次に、第２かんぬき部材３０を伸長させて、この第２かんぬき部材３０を２１階床レベルの既存梁１２に係止させ、仮設柱１５の荷重を２１階床の既存梁１２に支持させる。
【００３７】
次に、図１０に示すように、ステップロッドジャッキ２５を駆動して、第１かんぬき部材２６を上方に向かってわずかに移動し、解体対象である２３階床から退避させる。
また、２３階床レベルに設置した水平反力受け部材５１、５２を２０階床レベルに盛り替える。
次に、解体作業スペース６０内で、２３階の床から２２階の外壁を含む立上りまで（図１０中破線で示す部分）を解体する。このとき、走行クレーン６６を利用して、解体材を図示しない搬出口に移動し、図示しないホイストで下階に搬出する。下階に搬出した解体材は、リサイクル可能な材料と産業廃棄物との仕分けを行って、場外に搬出する。
【００３８】
次に、図１１に示すように、ステップロッドジャッキ２５を駆動して、第１かんぬき部材２６を下方に向かって移動し、２２階床レベルの既存梁１２に係止させ、仮設柱１５を２２階床の既存梁１２に支持させる。また、第２かんぬき部材３０を収縮させておく。
【００３９】
以上の工程を繰り返すことで１層毎に解体して、１階まで解体する。
【００４０】
以下、仮設柱１５を最上階に設置する手順、つまり、仮設柱１５を既存建物１の最上階にて組み立てる手順について、図１２のフローチャートを参照しながら説明する。
【００４１】
ステップＳ１では、仮設梁６３に柱本体２０の最上部２０Ｅを取り付ける。
図１３に示すように、２４階床レベルはまだ解体していないが、２４階の外壁は解体されており、既存建物１の外側に、仮設梁６３に支持される外周足場６２が設けられた状態である。
【００４２】
まず、既存建物１の内部に鋼材を搬入して、２４階床レベルにて、柱本体２０の最上部２０Ｅを組み立てて、この最上部２０Ｅに支持部材２８を接合して一体化させておく。
一方、Ｒ階床の既存スラブ１３上のうち仮設柱１５の直上の位置にチェーンブロック６７を設置し、このチェーンブロック６７のフックを、既存スラブ１３を貫通して２４階に下ろす。そこで、このチェーンブロック６７を用いて、支持部材２８が一体化された最上部２０Ｅを揚重し、支持部材２８を仮設梁６３に接合する。
また、２０階〜２３階の既存スラブ１３に床開口１４を形成する。
【００４３】
ステップＳ２では、柱本体２０の下部２０Ａを設置し、この下部２０Ａにかんざし部材２７および第２かんぬき部材３０を取り付ける。
図１４に示すように、２４階床レベルは既に解体された状態で、仮設梁６３の梁下にガーター６５および走行クレーン６６が取り付けられている。
【００４４】
まず、２３階床レベルにて、柱本体２０の下部２０Ａを横に寝かせた状態で組み立てる。次に、走行クレーン６６により、この下部２０Ａを建て起こして床開口１４に吊り込む。
次に、２１階床レベルにおいて、下部柱部材２１１同士の間に第２かんぬき部材３０を設置し、下部２０Ａにかんざし部材２７を取り付けて、このかんざし部材２７を第２かんぬき部材３０に連結する。
【００４５】
ステップＳ３では、柱本体２０の下部２０Ａに下側中間部２０Ｂを取り付ける。
すなわち、図１５に示すように、２３階床レベルにて、柱本体２０の下側中間部２０Ｂを横に寝かせた状態で組み立てる。次に、走行クレーン６６により、この下側中間部２０Ｂを建て起こして床開口１４に吊り込み、下側中間部２０Ｂの下端を、下部２０Ａの上端に接合し、溶接固定する。
【００４６】
ステップＳ４では、柱本体２０の下側中間部２０Ｂに上側中間部２０Ｃを取り付ける。
すなわち、図１６に示すように、既存建物１の内部に上側中間部２０Ｃを構成する一対の中間部柱部材２１２を搬入して、走行クレーン６６により、これら中間部柱部材２１２を建て起こして床開口１４に吊り込み、これら中間部柱部材２１２の下端を、下側中間部２０Ｂの上端に接合し、溶接固定する。
【００４７】
ステップＳ５では、図１７に示すように、柱本体２０に、第１かんぬき部材２６、ステップロッド２４、センターホール型のステップロッドジャッキ２５を取り付ける。
すなわち、柱本体２０の中間部柱部材２１２同士の間に第１かんぬき部材２６を設置する。次に、この第１かんぬき部材２６に対して上方からステップロッド２４を吊り下ろして、この第１かんぬき部材２６にステップロッド２４を挿通し、ステップロッド２４の下部下端部を仮設柱１５の連結部材２２に仮固定しておく。
次に、ステップロッド２４の上部が挿通されたセンターホール型のステップロッドジャッキ２５を吊り下ろして、ステップロッド２４の上部下端部と下部上端部をネジ付ジョイントで結合して一体化し、このステップロッドジャッキ２５を第１かんぬき部材２６の上に設置する。
【００４８】
ステップＳ６では、柱本体２０の上側中間部２０Ｃに上部２０Ｄを取り付ける。
すなわち、図１８に示すように、既存建物１の内部に鋼材を搬入して、走行クレーン６６により、この上部２０Ｄを建て起こして床開口１４に吊り込み、上部２０Ｄの下端を、上側中間部２０Ｃの上端に接合して、溶接固定する。
【００４９】
次に、ステップロッド２４の仮固定を解除し、その後、ステップロッドジャッキ２５を駆動して、ステップロッド２４を柱本体２０との相対位置で正規のレベルまで手繰り上げる。すると、第１かんぬき部材２６が２３階床に係止しているので、ステップロッド２４が仮設柱１５に対して上昇する。そこで、ステップロッド２４の上下端を仮設柱１５の連結部材２２に固定する。
【００５０】
ステップＳ７では、ステップロッドジャッキ２５を駆動して、組み立てた柱本体２０（部材２０Ａ〜２０Ｄを組み立てたもの）を上昇させて、最上部２０Ｅに接合する。
すなわち、図１９に示すように、ステップロッドジャッキ２５を駆動して、組み立てた柱本体２０に対して下方に相対移動させる。すると、第１かんぬき部材２６が２３階床に係止しているので、この組み立てた柱本体２０が既存建物１に対して上昇する。これにより、上部２０Ｄの上端を最上部２０Ｅの下端に接合し、溶接固定する。
これにより、仮設柱１５が完成する。
【００５１】
本実施形態によれば、以下のような効果がある。
（１）仮設柱１５の柱本体２０を複数の部材２０Ａ〜２０Ｅに分割しておき、仮設柱１５の設置箇所で、これら分割した部材２０Ａ〜２０Ｅを組み立てたので、仮設柱１５を所定の設置箇所に確実に設置できる。また、仮設柱１５を複数の部材２０Ａ〜２０Ｅに分割したことにより、この仮設柱１５を組立てるための資材の搬出入が容易となるから、仮設柱１５を容易かつ低コストで設置できる。
【００５２】
（２）２層以上に跨る長さを有し、重量が１本あたり数十トン以上の仮設柱１５であって、組み立てた部材を外部から既存建物１内に搬入するのが困難である場合、仮設柱１５を分割して搬入し、既存建物１内の限られたスペースで組み立てることができる。さらに、組み立てた部材の荷重が大きくなってからも、数トン吊りの走行クレーン６６と仮設柱１５のステップロッドジャッキ２５を利用することで、大型クレーンなどを利用することなく、既存建物１内に仮設柱１５を組み立てて設置できる。
【００５３】
なお、本発明は前記実施形態に限定されるものではなく、本発明の目的を達成できる範囲での変形、改良等は本発明に含まれるものである。
【符号の説明】
【００５４】
１…既存建物（構造物）
１１…既存柱
１２…既存梁
１３…既存スラブ
１４…床開口
１５…仮設柱
２０…柱本体
２０Ａ…下部
２０Ｂ…下側中間部
２０Ｃ…上側中間部
２０Ｄ…上部
２０Ｅ…最上部
２１…柱部材
２２…連結部材
２３Ａ、２３Ｂ…水平支持レール
２４…ステップロッド
２５…ステップロッドジャッキ
２６…第１かんぬき部材
２７…かんざし部材
２８…支持部材
２９…継手
３０…第２かんぬき部材
３１…本体
３２…係止部
５１…水平反力受け部材
５２…水平反力受け部材
５３…第１ガイド部
５４…第２ガイド部
６０…解体作業スペース
６１…仮設屋根
６２…外周足場
６３…仮設梁
６４…板材
６５…ガーター
６６…走行クレーン
６７…チェーンブロック
２１１…下部柱部材
２１２…中間部柱部材
２１３…上部柱部材
２１４…貫通孔
２１５…補強プレート
【図１】
0006320242.tif 000002
【図２】
0006320242.tif 000003
【図３】
0006320242.tif 000004
【図４】
0006320242.tif 000005
【図５】
0006320242.tif 000006
【図６】
0006320242.tif 000007
【図７】
0006320242.tif 000008
【図８】
0006320242.tif 000009
【図９】
0006320242.tif 000010
【図１０】
0006320242.tif 000011
【図１１】
0006320242.tif 000012
【図１２】
0006320242.tif 000013
【図１３】
0006320242.tif 000014
【図１４】
0006320242.tif 000015
【図１５】
0006320242.tif 000016
【図１６】
0006320242.tif 000017
【図１７】
0006320242.tif 000018
【図１８】
0006320242.tif 000019
【図１９】
0006320242.tif 000020